(57)【要約】【課題】  新たな大統一理論完結の根元となる「宇宙重力元」の発明によって、新たな光熱資源、各種素粒子、各種元素及びその化合物等の資源生成を行う。【解決手段】  「宇宙重力元」の相転移によって発生する強い力、弱い力、電磁気力の強力な光熱は化石燃料、原子力発電に変わる地球環境保全の資源として用い、又強力な光熱からは光子、電子、陽子、中性子等の素粒子と各種電磁気の資源を得て新たな利用を計る。光熱の利用後、各種の元素及びその化合物が生成される。要望する元素又はその化合物は高圧高温の晶出適正条件とする元素選択的変換装置を用いて高純度で生成する。【選択図】        図１
2005208069.tif 000002
【特許請求の範囲】
【請求項１】
「宇宙重力元」の相転移により発生する強い力、弱い力、電磁気力による強力な光熱源を得ることを特徴とする資源の生成方法。
【請求項２】
請求項１の光熱源から素粒子選別装置を用いて光子、電子、陽子、中性子等の素粒子を分別生成し、さらに各種電磁気を得ることを特徴とする資源の生成方法。
【請求項３】
請求項１の光熱源並びに請求項２の素粒子及び各種電磁気を生成取得した後、要望される高純度の各種元素を元素選択的変換装置を通じて取得することを特徴とする資源の生成方法。
【発明の詳細な説明】
【技術分野】
【０００１】  本発明は新たな大統一理論に基づく「宇宙重力元」の相転移によって生じる強い力、弱い力、電磁気力を熱源として次世代原子力発電その他に用い、素粒子選別装置で光子、電子、陽子、中性子、各種電磁気の生成、さらに元素選択的変換装置で必要とする高純度の各種元素の資源を生成する方法に関するものである。
【背景技術】
【０００２】  現在、地球上の人類の増加や高度の食生活や住居の快適化等のために石油等の化石燃料の枯渇、大気汚染、地球温暖化、農地のための森林や草地の減少、漁場や水の不足、地球の生態系の破壊が進行し、やがて人間生活自体が立ち行かなくなることが危惧されている。
この種の事態を予防するために、先に原子力発電が行われ、また多くの発明者達によって、風力発電システムや二酸化炭素の削減法等と省資源、環境保全のための様々な技術が提案されている。
【特許文献１】  特開平１０−７０９４１号公報
【特許文献２】  特開２００１−３４９２７２号公報
【特許文献３】  特開２００３−１７２５５１号公報
【特許文献４】  特開２００３−３２６１５５号公報
【発明の開示】
【発明が解決しようとする課題】
【０００３】  上記各公知文献に記載されている技術、さらに水素の国際的熱核融合実験炉（ＩＴＥＲ）による太陽のエネルギーを実現するために大規模施設を必要とするものにあっては施工の高コスト化が避けられない等の短所があるものの、当該技術はそれぞれ長所があり、より良い地球環境の維持に寄与するものと期待される。
本出願人は在来の技術の改良というよりも、技術の背景であって物理学の基礎知識として存在している重力に着目したのである。この重力は宇宙を支配する重要な力であり、重力を抜きにして物理学を論じるのは間違いでありながら、「今も重力は孤独であり続けている」と言われている。物理学者Ｌ．Ｍ．Ｋｒａｕｓｓは、「現代の物理学を悩ます難問は、重力に関する新たな理解が必要。誰かが全く新しい非凡なアイデアを考え出さなくてはならない。重力の問題は実験によって解決されるのではなく、理論的に答えが出るのだと思う。現在の実験の範囲をこえて、今研究されているものとは全く違うものと思う。ひも理論を含め、現在の枠組みでは答えはでない。」（日経サイエンス’０４．１１月号ｐ８８．）と述べている。
そこで、本発明の目的として、後述する新たな大統一理論の根元となる「宇宙重力元」を用いる資源の生成方法を提供するものである。
【課題を解決するための手段】
【０００４】  本発明に係わる「宇宙重力元」を用いる資源の生成方法の第１の特徴は、「宇宙重力元」の相転移により発生する強い力、弱い力、電磁気力の強い光熱の第１の資源を得ることにある。
本発明に係わる「宇宙重力元」を用いる資源の生成方法の第２の特徴は、上記第１の特徴を有すると共に、光子、電子、陽子、中性子、各種電磁気等の第２の資源を素粒子選別装置によって得ることにある。
本発明に係わる「宇宙重力元」を用いる資源の生成方法の第３の特徴は、上記第１及び第２の資源を得た後、元素選択的変換装置によって第３の資源である高純度の元素（金、銀、炭素、ダイア、水素、ヘリウム等）、また高純度の酸化金属、硫化物、塩化物等の化合物を得ることにある。
上記第１及び第２の資源を得た後、第３の資源である高純度の元素、または化合物を得た後、生成されてくる不特定化合物は主にＳｉ，Ａｌ、Ｆｅ，Ｃａ，Ｍｇの酸化物、硫化物、塩化物等が得られる。
【発明の効果】
【０００５】  本発明の効果は次の通りである。
「宇宙重力元」の相転移によって発生する強い力、弱い力、電磁気力は長年探求され続けていた大統一理論の完結を意味し、光り輝く太陽の原理を地球上の人類が利用できる可能性を有する。「宇宙重力元」の相転移による強烈な熱源はウランを用いる原子力発電や化石燃料の石油石炭を用いる発電に代わって、次世代の発電に利用される他、光り（光子）電子、陽子、中性子、電磁気力の新たな活用、最終的に生成されてくる元素は超高圧、高温の環境を希望する特定元素特有の条件にして晶出すると、高純度の金、銀、炭素、ダイア等の結晶が得られ、若干低い高圧条件では水素、ヘリウム等が生成される。
「宇宙重力元」に基づくエネルギー資源等の取得は、将来、地球上の人類の増加や高度の生活や居住の快適化等で化石燃料の枯渇、それ以上に生態系の環境破壊が進行して生物の絶滅が加速して、人間の生活自体が立ち行かなくなる事態を予防し、高度の生活様式や工業生産に必要なエネルギーの需要増に対応することができる。
【発明を実施するための最良の形態】
【０００６】  まず、本出願における新たな大統一理論である「宇宙重力元」の理解を容易にするために、図面を参照して従来の欠如ある統一理論の問題点を指摘し、次に「宇宙重力元」の原理を詳説し、その後「宇宙重力元」を用いた本発明について説明する。【０００７】  重力について、出願人が従来からの知識・理論で納得の得られなかった問題点（疑問点を含む。）を先ず列挙し、説明する。
（イ）問題点１
太陽が熱く輝く原理は水素原子がヘリウム原子に核融合する作用によって生じるエネルギーに基づくものである、と誤信されていることである。
なお、太陽が水素の核融合炉であると誤信されている状態のまま、現在、総事業費が約１兆３千億円と、史上最大級の科学プロジェクトである国際的熱核融合実験炉（ＩＴＥＲ）の施設の建設地をめぐって日本と欧州連合（ＥＵ）とで誘致合戦中である。
（ロ）問題点２
太陽の組成について、地球上から太陽を観察すると、最も軽い元素の水素とヘリウムのスペクトルが大部分で、水素７３％、ヘリウム２５％である、と誤解されていることである。
（ハ）問題点３
太陽の引力（重力）は万有引力の法則すなわち、総ての物質はその物体の質量の積に比例し、物質間の距離の二乗に反比例する力を及ぼし合うとする万有引力の式で計算される、と過信されていることである。
（ニ）問題点４
太陽系の全惑星、銀河の回転、さらに宇宙の総ても万有引力の式により計算される、と信じられている。
丸善株式会社発行による理科年表平成１７年２００５の第７６頁〜第７７頁の「太陽、惑星および月定数表」には、万有引力の式で計算された物体（太陽、地球、月、その他の惑星）の質量、密度、重力等の数値が記載されており、計算上の好適数値であって事実でないことに気づかないまま、引力（重力）はこの万有引力の法則に従うと今日まで信じられている所に、引力（重力）の真実を見誤る根元があると考えられる。
（ホ）問題点５
太陽のような光り輝く恒星は天体観測による実例から、最後は地球の公転軌道まで膨張した赤色巨星になり、爆発して惑星状星雲と白色矮星になると想定されているが、この想定に誤りが無いかどうかである。
（ヘ）問題点６
地球の中心部の熱は４６億年前、地球が形成された時に発生した熱と、地球内部に含まれた放射性元素の崩壊熱が地殻で保温されていると説明されているが、４６億年間も保温され、今日も火山噴火があるとは不可思議な説である。
（ト）問題点７
地球の引力（重力）も太陽と同様に万有引力の法則に従い「物体は互いに引き合っている」とされているが、地球には一方的に引力が有るが、人間のみならず地球表面の物体には引力が有るとは信じ難い。
（チ）問題点８
地球上の石油、石炭及び天然ガスは、生物の遺骸が堆積して形成された化石エネルギー資源と言われているが、本当に昔々の生物に由来するのであろうか。
（リ）問題点９
宇宙はビッグバンによって、１５０億年前に誕生したと考えられているが、このビッグバン宇宙の誕生の現象はあったとしても、大爆発のエネルギーを生じさせるものは何か。
（ヌ）問題点１０
太陽系の形成は星間雲の収縮によって原始太陽系星雲の中の衝突と合体によって４６億年前に誕生したとされている。何故、ビッグバン大爆発の時期と太陽系の形成のそれとの間に１００億年の遅れがあると推定されるのか。
（ル）問題点１１
ブラックホールは強烈な引力で秒速３０万ｋｍの光さえ飲み込み、大銀河の中心部に存在するとされている。このブラックホールの強烈な引力（重力）の素は何か。【０００８】  大部分の人々は、太陽が毎日出て、沈むことを、１日が２４時間であることを、過去から現在、さらに将来に向けて今後も変わりなく太陽が光り輝くことを、平和に感じる地球上に仮に地震や風雨等の自然災害があっても、毎年ほぼ同じような自然現象が繰り返されることを疑ってはいない。そして、１日２４時間は人間の都合の良い時間の単位であるが、宇宙での時間の単位に換算すれば１秒にも満たない短時間でしかない。人々にとっては、太陽も地球も、これらの星が属する宇宙も絶え間なく変化していることを感じるのは難しく、１００年単位でも気が付かない。
現在、西暦２００５年、地球上には約６５億の人類が生存するといわれ、５０年後地球上の人口が１００億人近くまで増加することが予測されている。人口増加は、食料不足、大気汚染等の環境破壊及び化石燃料の枯渇、さらには深刻な生態系の破壊を招くことになる。その結果、人類は、互いに食料や化石燃料等を奪い合い、けんかをして壊死するかもしれない。
今から例えば５０年以降においても、人類にとって、上述した生態系の破壊等が無いように、平和で、高度の生活を維持することを可能とするためには、重力（引力）に関する新しい非凡なアイデアで、究極の大統一理論を確立し、優れた英知で新たなエネルギー源を得る必要がある。もし、人類が新たなエネルギー源に基づいて食料増産、環境保全及び生態系の回復をしなければ、地球上での人類の生存は危ない。
全宇宙には、５，０００種の銀河が存在し、これらの銀河には、その直径１０万光年、太陽と同程度の光り輝く星が１０２０個存在するという。それらの星が光り輝くエネルギーの素は何かを明らかにする必要がある。
本発明者は、数十年前に物理学者である中谷宇吉郎教授から、下記の原理等に関して講話を受けた。
・広島に投下された原子爆弾の原理として、１ｇ（グラム）の物質（Ｍ）が総てエネルギー（Ｅ）に変換されると、９２０ｅｒｇ（エルグ）、熱量で２１５億ｋｃａｌ（キロカロリー）、石油２千ｔ（トン）に相当すること。
・アインシュタインのＥ＝Ｍ・Ｃ（光速）の二乗であること。
本発明者は、この講話を受けて以来、約６０年間、核エネルギー利用、太陽の光、地球の地熱、地震、原子の中の素粒子、ハップル望遠鏡や米国航空宇宙局（ＮＡＳＡ）の探査機によって知得される広がる宇宙、難解な超ひも理論、Ｍ理論等に関心を持って重力（引力）等について探索し、人々に理解と納得の得られる究極の大統一理論の確立に努めてきた。
アインシュタインが相対性理論を発表してから１００年経過した現在、全宇宙の９６％は未知物質（ダークエネルギー７３％、ダークマター２３％、水素とヘリウム４％）と言われている。この９６％の未知物質は重力（引力）に関する理論の確立が最大の課題である。
自然科学、理論科学、理論天文学等の専門の科学者は先人の理論構成を是認し、大規模の実験設備で素粒子や天体探査を行い、難解な理論構成を検討中であることを容易に推察することができる。
本発明者は、先人の理論構成に捕らわれず、独自でしかも誰もが理解と納得の得られる重力に関する大統一理論を確立し、この理論に基づいて産業上利用可能性のあるアイデアを開発したのである。新たなる大統一理論は前述した物理学者Ｌ．Ｍ．Ｋｒａｕｓｓが言う「重力に関する新たな理解」に役立つものと考える。【０００９】  次に、本大統一理論である「宇宙重力元」理論について説明する。
（１）地球上に存在する原子は、広く知られているメンデレーエフの周期表に見られるように、最も軽い水素の原子番号を「１」として、２番ヘリウム・・・中略・・・９２番ウラン、・・・と続き、最近は１１８番まであるようである。
そして、各原子の中味も詳しく調べられ、外側に電子が超高速で原子核の回りを回転し、中心部の原子核の中には陽子と中性子が存在し、また陽子及び中性子の中には小さな粒子である各種クオークが存在することがわかってきている。その原子も外殻電子も中心部の各種素粒子（原子核、陽子及び中性子）も肉眼では見えない。
（２）さて、太陽は何故熱く輝くのかとする前記問題点１に関して検討しよう。
従来理論によれば、図２（ｂ）に示すように、太陽の中心核の水素の核融合によって生じたエネルギーは放射層にて伝達されて、徐々に太陽の外殻（光球、彩層及び表層）に向けて伝わって行き、太陽表面が光り輝くとされている。
水素原子が核融合してヘリウム原子になった時の質量差Ｍ・Ｃ（光速）の二乗＝Ｅ（エネルギー）は確かに大きい。
しかし、太陽の表面は超高温、超高圧の環境であるから気体として存在できる元素は水素とヘリウムが大部分である。このために、地球から太陽を観察すると、前記問題点２で述べたように、太陽の組成は７３％が水素、２５％がヘリウムであると誤解されており、さらにその太陽から発生する高エネルギーは水素の核融合反応によるものであると考えざるを得なかったのであろう。
出願人は、太陽が光り輝く超高温のエネルギーを発生している理由を次のように考える。すなわち、
図２（ａ）に示すように、太陽の中心部には超高引力である超重力（表面の重力加速度３０万ｋｍ／秒超。）が存在している。この超重力を以下「宇宙重力元」という。
そして、上記「宇宙重力元」は、太陽の外殻に向けて重力が弱まり始める部分で、第一次相転移（相転換）を起こし始め、強い力（核エネルギーのような力）を発生する。
さらに、上記「宇宙重力元」は、重力の弱まる太陽の表面の部分では第二次相転移（相転換）を起こして、弱い力、各種電磁気力が発生して、放射性の各種同位元素に転換され、漸次安定元素に変換される。生成された元素の中で、超高温、高圧の太陽表面で気体化している水素とヘリウムは太陽表面で高熱とあらゆる波長の電磁波に煽られつつ光り輝いている。
太陽と同様に宇宙で光り輝く多数の恒星や中性子星、クオーク星と言われる星も同様な原理で輝いていると推測される。
「宇宙重力元」は太陽の中心部のような多量の「宇宙重力元」が存在する超高圧の場所では超高圧集合体（塊）として安定して存在できるが、その「宇宙重力元」の集合体の表面部分は宇宙空間で超高圧であり得ない。
（３）前記問題点３及び４に関して、上述したように、太陽の引力、太陽系の惑星、さらに宇宙の銀河等すべてニュートンの万有引力の法則に従い、「物体は互いに引き合っている」という万有引力の式から計算されると、信じられているところに重力（引力）の真実を見誤っているので、この誤りを以下に論証する。
引力の第１の基本的必須要件は、「宇宙重力元」を保持した天体以外に重力（引力）が存在しないことであると、考える。
万有引力説によれば、「物体は互いに引き合っている」ことが基本になっているが、地球に存在する元素の塊、例えばエヴェレスト山の塊、富士山の塊、アメリカ大陸の大塊であろうと、これらを宇宙に浮かせたとして、それらの塊自体には何の引力も無く、互いに引き寄せられることもなく、近くにある「宇宙重力元」を保持する天体に螺旋を描いて引き寄せられるゴミの流星に過ぎない。すなわち、引力は万物が持つ力ではなく、「宇宙重力元」を保持した天体にしか存在しない。
引力を持った天体は、その中心部に密度が比重１０万乃至１億ｋｇ／ｃｍ３であって、その表面の重力加速度が３０万ｋｍ／秒超である「宇宙重力元」を保持している。大量の「宇宙重力元」を保有する天体、例えば太陽のように耐圧の外殻が未形成のため、現在は表層で相転移のエネルギーを発散し発光中である。太陽は逐次相転移が進んで元素が多量に形成されてくると、「宇宙重力元」が元素に転換され、その体積が約１００万倍に拡大される。この拡大よって、徐々に太陽の直径が地球にも達する程巨大な赤色巨星に進展され、その外殻の巨大地殻を維持するための引力が不足して、太陽は大分裂・爆発を起こし、周囲に惑星状星雲と、残りの「宇宙重力元」を保持した白色矮星に変わるものと考えられる。
前記問題点５において指摘した天体観測からの予想は誤っていないものと判断される。
前述した太陽が赤色巨星に膨張する現象は、太陽の組成が水素とヘリウムだけであるとすれば、あり得ない現象である。将来、太陽の赤色巨星に膨張するに至った段階では、太陽系の地球を含む惑星、その衛星は星雲となってこの宇宙を漂いながら、何億年後に「宇宙重力元」を持った天体又はブラックホールに集められて晴れ上がり、新たな星群に生まれ変わるものと推察される。
天体が太陽よりさらに巨大な恒星である場合、太陽より早く終末の爆発が起こり、爆発後に中性子星やブラックホールが残る超新星爆発と言われている。高密度天体と言われている白色矮星は、密度が１ｔ／ｃｍ３であり、中性子星は密度が５億ｔ／ｃｍ３であり、ブラックホールは密度が２００億ｔ／ｃｍ３であると予測されている。これら高密度の予測数値は、上記天体における「宇宙重力元」の保有量の比率と考えれば納得できるものである。
前記した理科年表平成１７年２００５の第７６頁〜第７７頁の「太陽、惑星および月定数表」において、赤道半径は太陽系の星なら実測した数値で正しいとして、平均密度（ｇ／ｃｍ３）の数値はニュートンの万有引力の式で計算したものであると推測されるが、特に地球の平均密度５．５２は密度１．４１である太陽や他の惑星と比較しても一番比重が大きいことになっている間違いに気づかないでいる。
上記「太陽、惑星および月定数表」における質量の数値について、地球を１とした各天体の質量の数値の比率は各天体が保有する「宇宙重力元」の含有量の比率に近いものと判断される。これは、太陽が地球の約３３万倍の「宇宙重力元」を保有していれば、光り輝く理由が成立すると考えられるからである。
（４）地球の熱に関する前記問題点６について検討する。
地球の中心部の熱は星間雲の収縮によって地球が形成された４６億年前の余熱説と、放射性元素の崩壊熱説が定説となっている。
４６億年前の余熱によって現在も火山が噴火したり、地震が起こるほどのエネルギーが残存しているとは考えられない。むしろ、地球の内部には「宇宙重力元」が存在し、この「宇宙重力元」が地球の中心部で相転移を起こし、外殻の表面に向けて強い力から弱い力及び電磁気力に変換されて高熱を発しながら、放射性の各種同位元素が生成され、漸次、各種元素が新生されると考えるべきものである。
地球の地殻の各種元素は、上記した第二次相転移が起きる頃の圧力環境条件によって、鉄鉱石、珪石、酸化アルミニウム、石灰石等の他に、各種元素の結晶が晶出したものと考えられる。
「宇宙重力元」から最終的に転換された元素の放射性同位体の含量は、元素が新生した歴史を意味するものである。地球が保有する「宇宙重力元」の量を太陽のそれと比較すると、１／１００万（１００万分の１）以下と考えられる。「宇宙重力元」が相転移して元素にまでになると、その体積は「宇宙重力元」の約１００万倍になるので、現在の地球は外殻に形成された地殻で「宇宙重力元」が中心部に保護され、時々火山噴火や地殻変動による地震が発生する程度である。
何億年か前の地球全体は沸騰温泉地獄と大雨で、川沿いの平地の地中には角が取れた丸味を帯びた石が多量に存在している。また地球の年代区分表に示す中生代の白亜紀を中心として巨大な恐竜や鳥類、被子植物が現れた歴史を推測すると、地球のマグマの噴出による高温よりむしろ、太陽外殻の水素及びヘリウムその他の元素の存在量が現在の太陽の表層の元素存在量より少なく、各種電磁波、紫外線放射が強烈で、地球上の活性酸素も多く、生物の成長期に酸化、還元、代謝速度が速く、その結果生物が巨大化したものと推測される。
（５）地球上の物体に引力があるとする前記問題点７について検討する。
地球の引力については上記「宇宙重力元」の存在で説明することができる。
月は、地球の１／１００程度の「宇宙重力元」を保持するに過ぎないにもかかわらず、地球から測定できる直径（３，４７６ｋｍ）は地球のそれ（１２，７５６ｋｍ）の１／４程度であり、月の外殻の各種元素は厚く「宇宙重力元」を保護している。
「宇宙重力元」を地球上の核として示す図３（ａ）において、地球の中心部で「宇宙重力元」が第一次相転移して強い力に変換され、そして第二次変換されて地殻の表面に向けて強い力から弱い力及び電磁気力に変換されて発熱をしながら、放射性の各種同位元素が生成され、漸次、各種元素が新生されると考えられる。
因みに、鉄を地球上の核とする図３（ｂ）に示す従来の予想において、地球の中心部の内核は鉄からなり、その外側の外核は液状の鉄からなり、外殻を形成するマントルが外核から地殻の表面に向けて放出され熱を保温すると考えられている。
（６）化石エネルギー資源に関する問題点８について検討する。
地球の地殻に存在するいわゆる化石燃料と呼ばれている石油、石炭及びメタンを含む天然ガスは、植物や動物の遺骸が堆積物の化石化した天然資源であると言われているが、本発明者は支持していない。
上記天然資源のうち、例えば石炭については、「宇宙重力元」の相転移によって生成された炭素原子が結晶析出の環境によって鉱脈として石炭に形成されたものとすれば、他の天然資源である石油や天然ガスについても、地球の地殻元素創世期の炭素原子及び水素原子から生成されたのではないかと類推することができる。最近、動植物が存在しない木星の衛星に多量のメタンの存在が観測された報告がある。
（７）ビッグバンに関する問題点９について検討する。
前述したように宇宙は１５０億年前にビッグバンによって誕生したと言われている。現在、全宇宙には５，０００億の銀河があり、また太陽と同程度に光り輝く恒星が１０２０個存在すると言われている。しかしながら、一度のビッグバンによって全宇宙の星が生成できることには、その量から判断して疑問がある。この疑問は、今でも誕生まもない銀河がＮＡＳＡの探査機によって、多数発見されている事実からも裏付けられる。
人類が所属している銀河系は最初ビッグバンと同じ１５０億年前に誕生したと仮定し、銀河系の中心には「宇宙重力元」が太陽の３００万倍程の多量を有する中核バジル（ブラックホール）として存在し、１５０億年の間に現在の２，０００億個の星を漸次誕生させたことになる。
太陽系は、ビッグバンから１００億年後、今から４６億年前に生まれたものとされているとすれば、当初誕生した巨大な恒星が赤色巨星化され、やがて爆発した後に生まれたこの恒星の子供又はその孫に相当する星であると考えられ、また銀河系は細胞分裂でもしたかのように成長したものと考えられる。
銀河系の中心のブラックホールは星の回収機能と再生機能を持ち、換言すれば元素を回収して、「宇宙重力元」を再生する能力があるかもしれない。「宇宙重力元」の集合体は表面でも１０億気圧になり、また深さ１００ｍ（メートル）の所では比重が１億ｋｇ／ｃｍ３になるので、１０１２気圧になる。このために、元素は核融合の後、直ちに吸熱反応で「宇宙重力元」に相転移される。宇宙は「宇宙重力元」に支配されている。銀河系の中心超重力場は「宇宙重力元」を持った恒星とその惑星を放出し、また年老いた星屑を回収する。換言すると、「宇宙重力元」を放出し、元素を回収するサイクルが行われている。
宇宙は巨大な生き物であり、地球上の人間にはその姿は見えない。仮に、銀河は宇宙の怪物の何処かの組織の一部分に当たる一つの細胞であると想像すれば、銀河の細胞は巨大化し、増殖して分裂したり、壊死したりする。銀河の細胞内の分子を構成する元素に相当するのが多数の恒星系（太陽系）である。これらの恒星系（太陽系）の惑星（地球等）は、核（恒星である太陽）の周囲を回る電子であるに過ぎない。年老いた細胞（銀河）や役に立たなくなった分子（恒星系）は分解され、又は新たな細胞（銀河）や分子や元素（恒星系）として再生される。宇宙全体を観察すると、沢山の泡の膜のように見えて、星の繋がりが紐のように連なっている所と、何もない空間部があることが観察されている。
以上のように、大統一理論（電磁気力、弱い力、強い力、重力）のうち、明らかでなかった重力について、今日までの実験の範囲と異なり、現在の理論の枠組を越えて、新しく卓越した発想の下に、「宇宙重力元」理論を詳述した。【００１０】  ここで、上記「宇宙重力元」理論の要点をまとめると、下記のようになる。
（１）太陽が熱く光り輝くのは、水素の核融合によるエネルギーではなく、「宇宙重力元」が相転移して各元素に転換する時に発生するエネルギーである強い力、弱い力、電磁気力である。
高温、高圧の太陽表面においては、「宇宙重力元」が相転移して最終的に生成された元素のうち、軽い気体の水素とヘリウムが地球上から観察し易いので、太陽の組成は７３％の水素と２５％のヘリウムであると誤解されていたのである。
図４（ａ）は本発明者が提案する大統一理論についての系統図である。
本大統一理論では、「宇宙重力元」が源の中心にあって、相転移して強い力、弱い力、電磁気力を放出し、最終的には各種元素に変換される。
ビッグバンを起こす現象は、多量の「宇宙重力元」を持った天体又はブラックホールが分裂する際に多量の「宇宙重力元」が一度に相転移を起こして、各種のエネルギーを多量に放出した時と考えられる。
なお、「宇宙重力元」を英語に直訳すれば、ＣＯＳＭＩＣ  ＧＲＡＶＩＴＡＴＩＯＮＡＬ  ＢＡＳＩＳ又はＣＯＳＭＩＣ  ＧＲＡＶＩＴＹと訳するのが適切であると判断される。
太陽は経時的に「宇宙重力元」が相転換された元素が増加すると、その直径が地球に達する程の赤色巨星に進展される。それは、「宇宙重力元」が元素に相転換されると、体積が約１００万倍に達するからである。このような太陽の現象は、その組成が水素とヘリウムとによって９８％占められているこれまでの定説によれば、あり得ないことである。
なお、図４（ｂ）は従来の統一理論の系統図である。従来の統一理論では、ビッグバン宇宙に４つの力（電磁気力、弱い力、強い力、重力）が存在し、これらの力は本来一つであり、時間の経過に伴なってまず重力と他の力（電磁気力、弱い力、強い力）に分かれ、その後強い力と他の力（電磁気力、弱い力）に分かれ、さらに電磁気力と弱い力に分離されたとする。当該理論は、ビッグバン宇宙が源の中心であって、重力は不明のまま重力伝達子（ＧＲＡＶＩＴＯＮ）とされている。
統一理論は科学者の究極の目標とされ、宇宙の始まりは極微の世界と思い込み、素粒子、クオークやレプトンよりさらに微細なプランクサイズ（１０−３３）の点状から、超ひも理論（１０次元）、さらにＭ（膜）理論（１１次元）と進化して、未だ普通の人間には理解不能な微細素子が求められている。
（２）太陽の引力、太陽系の地球を含めた惑星の引力、さらに宇宙の銀河系等における引力は、ニュートンの万有引力の法則（「物体は互いに引き合っている」）に従いその万有引力の式から計算することができると、考えられている。
しかしながら、前記した理科年表の第７６頁〜第７７頁の「太陽、惑星および月定数表」における太陽とその惑星の比較表に記載されている太陽の質量、地球の平均密度より小さい平均密度、赤道重力の数値が事実として未だ信じられているために、引力（重力）の事実を見出せなかった根元があると判断される。
（３）宇宙において、引力は「宇宙重力元」を保持した天体にしか存在しない。
「宇宙重力元」は地球上の元素の直径の１／１０万（１０万分の１）と言われる中心部の原子核に存在する素粒子（陽子、中性子、これらの中の各種クオーク等）を集め、さらに強固に圧縮した塊のような物質であるが、素粒子ではない。「宇宙重力元」は密度（比重）１０万乃至１億ｋｇ／ｃｍ３である。圧力は「宇宙重力元」集合体の表面で１億ｋｇ／ｃｍ２であり、気圧で約１億気圧と想定され、重力加速度は「宇宙重力元」表面で３０万ｋｍ／秒超に達し、「宇宙重力元」の塊の中心部はさらに超高圧力になると考えられる。
（４）宇宙の銀河も恒星も惑星もその衛星も「宇宙重力元」の保持量の多少と、相転移した元素の多少の違いによって、光り輝くものであるか否かが決められる。恒星は「宇宙重力元」の保有量が多量で相転移した元素の少量であれば光り輝くが、元素が増えてくると赤色巨星に変化してやがて分裂爆発される。惑星は転換された元素が多量で、中心部に少量の「宇宙重力元」を密閉しているので、光り輝くことがない。【００１１】  新たな大統一理論完結の根元である「宇宙重力元」の発明による資源生成について、図１を参照して説明する。
「宇宙重力元」の相転移によって強い力、弱い力、電磁気力が発生して、資源１に示す、強力な光熱を生成する。この光熱は化石燃料に代えて発電その他熱源として利用される。強力な光熱は、素粒子選別装置で資源２に示す、光り（光子）、電子、陽子、中性子等の素粒子と各種電磁気の新たな利用資源ができる。光熱の利用の後、資源３に示す各種元素の単体及びその化合物を得るために、元素選択的変換装置を用いるものであるが、この元素選択的変換装置で要望される高純度の元素又は化合物を得ることができる。
このように、「宇宙重力元」を利用して得られる資源は、将来、地球上の人類の増加や高度の食生活や住居の快適化等で化石燃料の枯渇、それ以上に地球の生態系の破壊の進行、森林や草地の減少、漁場や水の不足、そして生物が絶滅する速度の加速によって、人間生活自体が立ち行かなくなる事態を予防するために、そして農作物のための水耕室栽培、食用魚肉類の人工飼育養殖のためのエネルギーとして用いられる。さらに、上記資源は高度生活様式、工業生産に必要なエネルギーに利用することが可能となる。【００１２】  「宇宙重力元」は人間の肉眼で見ることができない。そのために、「宇宙重力元」の存在は、元素、この元素の１０万分の１の原子核及びその原子核の中の各種素粒子と同様に、実験施設を通じて実験結果から実存が判断されるのである。
「宇宙重力元」が太陽に大量、月に少量、そして地球の中心部にも存在するので、「宇宙重力元」の確認のための実験は、例えば地球の地下深くボーリング（掘削）することによって行われることになる。すなわち、
実験のための掘削計画として、地球の半径６，３７８ｋｍの１０分の１の約６００ｋｍ程の深さまでボーリングする。
そこで、ボーリング方法としては、まず、直径１０ｍの垂直孔を深さ１０ｋｍ程掘削する。この掘削孔周囲には横幅１０ｍの螺旋状の勾配２０度程度の地下トンネルを掘って、所々に上記螺旋トンネルと上記垂直孔と連絡する通路を設ける。
次に、垂直孔を掘り進めるのであるが、その深さが１０ｋｍを越えてからは、途中の温度と重力加速度を測定しながら、無人掘削機で掘削し、深さ２０ｋｍを過ぎてからは溶岩が出始めるので、螺旋トンネルからエスカレータ式に溶岩を汲み上げてブロックに成型し、放射性及び同位元素量を測定する。
一方、地熱発電をするための装置を螺旋トンネルの枝別れ数箇所に設置して、その発電を掘削工事の際の電力として利用する。また溶岩域に達したら垂直孔から温度、圧力センサを付けたドリル管を先行させ、状況を見ながら掘削する。
なお、ボーリング方法は、地下における掘削工事は安全性、避難、熱マグマ噴出時の密封方法を考慮しながら行う。
垂直孔の周囲に螺旋トンネルをデザインする例で説明したが、土木工学的合理性及び経済性から、垂直孔を平行に２本掘削して、上記と同様の機能を持たせる設計に変更しても良い。【００１３】  今日まで、地球誕生の定説になっている地球内部の高熱は、４６億年前に地球ができた時発生した熱と、放射性元素が崩壊した時の熱が地殻で保温されていて、地球中心部には鉄とニッケルとの９５％が５，０００度に保温されていると信じられている。放射性同位元素には寿命があり、半減期が４６億年の長期の元素はウラン２３６とウラン２３８しか存在しないはずである。
地球深部を掘削して採取された試料に放射性同位元素の半減期が１０億年以内の元素及び放射性同位元素の含量の多い元素が検出され、深度が増すほど、その放射性元素と同位元素の含量が増加する傾向があれば、地球内部には「宇宙重力元」が存在して、地球ができた４６億年以降からも相転移して強い力、弱い力、電磁気力が発生し、元素が新生された証拠となる。この証拠は掘削するドリル管の先端が深さ５０ｋｍに達する以前にも確認されると判断される。また引力（重力）加速度は掘削距離の途中での連続的測定値から予測して、地球中心部に達する以前に、３０万ｋｍ／秒に達すると考えられる。
「宇宙重力元」は相転移して、強い力、弱い力、電磁気力を放出して元素に転換される。
この新たな大統一理論によれば、太陽の光、各種の力、エネルギー、そして各種元素が新生される理論である。しかし、現時点では、「宇宙重力元」を利用できる施設、設備、機器が実現されていない。地球中心部の「宇宙重力元」を１ｃｍ３を超耐高圧密閉容器を開発して採取できれば、密閉容器から少しずつ取り出して、光熱エネルギーを、また素粒子選別装置で電子、光子、中性子等の素粒子と電磁気を、さらに元素選択的変換装置で、圧力温度調整と元素の種付け装置で希望する各元素の生成が可能となる。
【図面の簡単な説明】
【００１４】
【図１】  本発明の一実施形態を示すブロック図である。
【図２】  太陽の一部の断面図であって、（ａ）は本発明に係る新たな大統一理論に基づく「宇宙重力元」の発熱システムを示す図であり、（ｂ）は従来理論の発熱システムを示す図である。
【図３】  地球の一部の断面図であって、（ａ）本発明に係る大統一理論に基づく「宇宙重力元」を核とする図であり、（ｂ）は従来の予想における鉄を核とする図である。
【図４】  （ａ）は本発明に係る新たな大統一理論を示す系統図であり、（ｂ）は従来の統一理論を示す系統図である。
【図１】
2005208069.tif 000003
【図２】
2005208069.tif 000004
【図３】
2005208069.tif 000005
【図４】
2005208069.tif 000006